(57)【要約】【課題】  額類を手で持つ操作でそれを壁に掛けたり外したりできるため、着脱操作が容易であるばかりでなく、地震等の時にも外れがたく安全であり、また、たとえ、多数の額類を共に掛けるハンガーレール状としてもフックの遊びが目立つような不都合がなくなる額類の壁掛け金具を提供する。【解決手段】  壁に固着して取り付ける受け金具と、額類の裏面に固着して取り付ける掛金具との組み合わせからなり、受け金具と掛金具とは、相互に掛かるＬ字形の係合片が取付基板から突出した長尺材からなり、受け金具では上向きに、掛金具では下向きにそれぞれの係合片が形成され、両係合片の先端にはそれぞれの内側に突起となるように逆止爪が形成され、掛金具と受け金具との少なくとも一方には、係合片が対面する取付基板の面からその係合片の逆止爪またはその近傍に向かって、相手の係合片を受け入れる傾斜角度に押しバネを内蔵したことを特徴とする。【選択図】    図１
2005323790.tif 000002
【特許請求の範囲】
【請求項１】
壁に固着して取り付ける受け金具と、額類の裏面に固着して取り付ける掛金具との組み合わせからなり、受け金具と掛金具とは、相互に掛かるＬ字形の係合片が取付基板から突出した長尺材からなり、受け金具では上向きに、掛金具では下向きにそれぞれの係合片が形成され、両係合片の先端にはそれぞれの内側に突起となるように逆止爪が形成され、掛金具と受け金具との少なくとも一方には、係合片が対面する取付基板の面からその係合片の逆止爪またはその近傍に向かって、相手の係合片を受け入れる傾斜角度に押しバネを内蔵したことを特徴とする額類の壁掛け金具。
【請求項２】
受け金具の両端に係合片の起立部を欠除する切欠部を設け、その両切欠きの位置において、係合片の残部と取付基板とにピンを壁に差し付ける通し孔を設けたことを特徴とする請求項１記載の額類の壁掛け金具。
【請求項３】
掛金具と受け金具が同形の長尺材であって、長尺材を任意に切断することにより、掛金具にも受け金具にも利用でき、長さ設定や取付数量が適時にできることを特徴とする請求項１又は２記載の額類の壁掛け金具。
【発明の詳細な説明】
【技術分野】
【０００１】
この発明は、書画を展示する額縁や、写真、広告を展示するパネルを壁等に着脱するために使用する額類の壁掛け金具に関する。
【背景技術】
【０００２】
額縁やパネル等の額類を壁に掛けるとにきは、一般的に、壁に掛止金具を取り付けておき、額類には左右一対の吊り金具を介してループ状に紐を取り付け、それが壁掛け金具に引っ掛けられる。また、壁に額縁の下端が掛かる受け金具を取り付けて、前傾斜に掛けられることも多いが、絵画等の作品は目線の高さで鑑賞しやすいことから、特に作品展においては紐やワイヤー等だけで吊り下げて垂直対面形式で展示される。
【０００３】
このような展示形態を取るとき、壁掛け金具は紐を掛ける単なるフックの場合も多いが、そうすると揺動しやすく不安定な印象を与えるだけでなく、地震等の揺れで紐が外れるおそれがある。そこで、フックの口を封じるよう閉止片を回転可能に取り付けた提案がある。しかし、これでは額縁を掛けたり外したりする毎に、閉止片を回す面倒な両手操作が必要である。
【０００４】
また、額縁の吊り下げ箇所がフックの位置に限定されることから、横に長尺のハンガーレールを壁に取り付け、レールに沿ってフックを移動できるようにしたものも提案されるが、フックが常時レールに吊り下げられているため、フックの数に展示数が満たないときには、不使用のフックが見苦しく遊んで見えるという問題があった。
【０００５】
【特許文献１】実用新案登録第３０７６０８１号公報
【特許文献２】実用新案登録第３０４８２０６号公報
【発明の開示】
【発明が解決しようとする課題】
【０００６】
この発明は、上記のような実情に鑑みて、額類を手で持つ操作でそれを壁に掛けたり外したりできるため、着脱操作が容易であるばかりでなく、地震等の時にも外れがたく安全であり、また、たとえ、多数の額類を共に掛けるハンガーレール状としてもフックの遊びが目立つような不都合がなくなる額類の壁掛け金具を提供することを課題とした。
【課題を解決するための手段】
【０００７】
この発明は、上記の課題を解決するために、壁に固着して取り付ける受け金具と、額類の裏面に固着して取り付ける掛金具との組み合わせからなり、受け金具と掛金具とは、相互に掛かるＬ字形の係合片が取付基板から突出した長尺材からなり、受け金具では上向きに、掛金具では下向きにそれぞれの係合片が形成され、両係合片の先端にはそれぞれの内側に突起となるように逆止爪が形成され、掛金具と受け金具との少なくとも一方には、係合片が対面する取付基板の面からその係合片の逆止爪またはその近傍に向かって、相手の係合片を受け入れる傾斜角度に押しバネを内蔵したことを特徴とする額類の壁掛け金具を提供するものである。
【０００８】
額類の壁掛け金具を上記のように構成したから、受け金具を壁に、掛金具を額類の裏面の任意箇所又は裏面の上端にそれぞれ固着して使用するもので、受け金具については、額類とほゞ同じ幅又は中央幅にする場合と、ハンガーレール状に複数掛ける幅とする場合とがある（請求項３）。いずれにしても、額類を手で持つだけでその掛金具の係合片を壁の係合片に掛け止めることにより額類を壁掛けできるが、両係合片が係合する掛止状態では、押しバネの押さえで両係合片が逆止爪どうしで脱出不能に引っ掛かり、これがバネ作用で保持されることになる。
【０００９】
このバネ作用で、額類が前面にやゝ突き出る位置に保持されるため、作品等に訴える面効果が付与される。しかも、今度取り外すときには、額類を持つ手で押しバネに抗して後ろへ押し、両係合片の逆止爪を外すことができるため、取り外す操作も容易であり、片手でも簡単に外し得る。
【発明の効果】
【００１０】
以上説明したように、この発明の額類の壁掛け金具によれば、額類を手で持つ操作でそれを壁に掛けたり外したりできるため、片手により着脱操作ができて作業が容易であり、しかも、押しバネの作用で外れが防止され地震等の時にも外れがたく安全であり、また、たとえ、多数の額類を共に掛けるハンガーレール状としてもフックの遊びが生じるというようなことがなくなり、常に体裁良く合理的に使用でき、さらに、受け金具と掛金具とは同一長尺材の使用でコスト安となり得るという優れた効果がある（請求項３）。
【００１１】
また、受け金具の両端に切欠部を設け（請求項２）、壁にピン止めできるようにすれば、受け金具の取り付けが容易となるので、展示会場等の設営の作業能率の向上となり、壁面がベニヤ板、プラスタボード等、素材の如何に係わらず対応しやすくなる。
【発明を実施するための最良の形態】
【００１２】
図１ないし図４は、一実施形態を示したもので、その額類の壁掛け金具Ｐは、壁面に取り付ける受け金具１と、額類Ｆに取り付ける掛金具２とからなるもので、それぞれアルミ押出形材からなる同一断面形状であって、掛金具２には押しバネ３が内装される。
【００１３】
受け金具１と掛金具２との長尺材としての形状については、取付基板５，６の高さ中途にＬ字形の係合片７，８を突設し、係合片７，８の先端に内側に案内傾斜となる三角形の逆止爪９，１０が形成され、さらに係合片７，８の基端の内側には取付基板５，６と僅かに間隔をおいてそれと平行となる突条１１，１２が形成され、突条１１，１２と対向するように、取付基板５，６の一端にはＬ字形の屈折片１３，１４を形成することにより、突条１１，１２との対向において浅い蟻溝形が形成される。
【００１４】
受け金具１は、係合片７が上向きになるように取付基板５を壁Ｗに取り付けるもので、その取付けのために取付基板５の両端にビス２１の通し孔２３，２３が設けられる。また、簡易にピン止めできるようにもしてある。これについては、係合片７の両端に起立部分を欠除して切欠部２４，２４を設け、その部分において係合片７の水平部分と取付基板５の下端部とに斜めにピン２５を差し込み得る通し孔２７，２８が設けられる。したがって、ピン２５だけで強度的に持つときには簡易な取付けができ、また、ビス２１で止める前の仮止めにピン２５を使用することもできる（図４）。また、両端のピン２５，２５で掛金具２のスライドを阻止する脱落防止用ストッパーの役割を果たすことにもなる。
【００１５】
押しバネ３には基板６内面の蟻溝に掛止して嵌まる矩形の板バネ３ａが使用され、その中央を斜めに切り起こすことによりバネ３が形成される。そして、掛金具２の突条１１と屈折片１３とからなる蟻溝に取り付けた状態において、屈折片１３を加締めて板バネ３ａが固定され、その状態で押しバネ３が係合片８の中に向かって傾斜している。したがって、押しバネ３の取り付け箇所は自由となる。逆に、受け金具１に押しバネ３を取り付けても良いし、両方に取り付けても良い。また、取り付ける押しバネ３の数により外れ防止効果となる所望の弾力が得られる。
【００１６】
額類Ｆは、例えば、裏板、作品、透明板等からなる内装物２９がフレームで枠組みされ、そのうちの上のフレーム３１にビス３３で掛金具２が取り付けられる。フレーム３１には裏面に縦横が連結されるＬ字形の連結片を挿入する蟻溝３５が開口しており、その開口側面に取付基板６を当て、取付基板６に通したビス３３が蟻溝３５の底部に螺入される。正面から見ると掛金具２が額類Ｆに隠れて取り付けられているので、体裁が良好であり、取り外し方が分からないことで盗難防止効果もある。
【００１７】
図５が額類Ｆの展示形態の一例を概略的に示し、この場合、掛金具２ばかりでなく受け金具１も隠れて見えない。また、図６の場合は、受け金具１をハンガーレール状に長く形成し、これに複数の額類Ｆを吊り下げた場合であるが、この場合も掛金具２は隠れている。また、額類Ｆは、壁面に対して平行な垂直状態を保持し、受け金具１と掛金具２との結合の厚みで張り出し、見栄えが良好であり、浮き出し掲示の効果がある。
【００１８】
いずれの場合も、壁Ｗに取り付けられた受け金具１に、額類Ｆに取り付けられて掛金具２を上から下げる係合操作となり（図１，図２）、掛けると押しバネ３の弾力で両係合片７，８が密接して逆止爪９，１０どうしが掛止関係となる（図３）。この状態は保持されるが、後ろへ押す動作で（図３の二点鎖線参照）、この爪掛かりが解除されるので、同時に額類Ｆを持ち上げてそれを容易に取り外すことができる。
【図面の簡単な説明】
【００１９】
【図１】この発明の一実施形態において受け金具に掛金具を掛ける手順で示す額類の壁掛け金具の斜視図である。
【図２】同時点における額類の壁掛け金具の断面図である。
【図３】同額類の壁掛け金具を掛止状態で示す図２に対応する断面図である。
【図４】受け金具のピン止めによる取り付け状態を示す断面図である。
【図５】額類の展示形態の一例を示す正面図である。
【図６】額類の他の展示形態を示す正面図である。
【符号の説明】
【００２０】
Ｆ  額類
Ｗ  壁
１  受け金具
２  掛金具
３  押しバネ
５，６  取付基板
７，８  係合片
９，１０  逆止爪
２４  切欠部
２５  ピン
２７，２８  通し孔
【図１】
2005323790.tif 000003
【図２】
2005323790.tif 000004
【図３】
2005323790.tif 000005
【図４】
2005323790.tif 000006
【図５】
2005323790.tif 000007
【図６】
2005323790.tif 000008